(57)【要約】【課題】重大事故や顧客クレームにつながる情報を事前に配信可能とする昇降機稼動データ分析装置を提供。【解決手段】  昇降機１の稼動状態を常時監視するとともに、定期的に実施される点検の都度に監視し、取得した稼動データを記憶する記憶装置２ｃを有する端末装置２と、記憶装置２ｃに格納した稼動データを通信回線を介して定期的に取り込み、分析し予兆データとして少なくとも昇降機１の保守点検時期を判断する情報分析部３ｅとを有するセンター装置３とを備えた昇降機稼動データ分析装置において、情報分析部３ｅの分析結果である予兆データに重要度を付加する重要度付加手段３ａと、この重要度付加手段３ａで付加した重要度に応じて予兆データの配信先を設定する配信先設定手段３ａ，３ｂ，３ｄ，３ｅとを備えたものである。【選択図】図１
2008168990.tif 000002
【特許請求の範囲】
【請求項１】
昇降機の稼動状態を常時監視するとともに、定期的に実施される点検の都度に監視し、取得した稼動データを記憶する記憶装置を有する端末装置と、前記記憶装置に格納した稼動データを通信回線を介して定期的に取り込み、分析し予兆データとして少なくとも昇降機の保守点検時期を判断する情報分析部とを有するセンター装置とを備えた昇降機稼動データ分析装置において、前記情報分析部の分析結果である予兆データに重要度を付加する重要度付加手段と、この重要度付加手段で付加した重要度に応じて前記予兆データの配信先を設定する配信先設定手段とを備えたことを特徴とする昇降機稼動データ分析装置。
【請求項２】
請求項１記載の昇降機稼動データ分析装置において、前記重要度付加手段は、事故になり得る予兆データ、長時間不稼動故障になり得るデータ、特定顧客の昇降機予兆データ、特定の昇降機の予兆データとしたことを特徴とする昇降機稼動データ分析装置。
【請求項３】
請求項１及び請求項２記載の昇降機稼動データ分析装置において、前記配信先設定手段が設定する配信先は、該当昇降機の保全作業を担当する担当営業所とし、重要度が高くなると、該当昇降機の保全作業を担当する作業者が保全作業時に持参する携帯端末装置を少なくとも加えることを特徴とする昇降機稼動データ分析装置。
【発明の詳細な説明】
【技術分野】
【０００１】
本発明は昇降機稼動データ分析装置に関する。
【背景技術】
【０００２】
従来、各昇降機別に各階毎のドア開閉頻度やドア開放時間等の計測データを求め、この計測データに基づいて、各昇降機特有の使用状態を把握すると共に、これら昇降機の次の保守点検時期及び昇降機機器の交換時期を判定する技術が、提供されている。（特許文献１参照）
【特許文献１】特開平６−１５６９０２号公報（段落番号０００６〜０００９）
【発明の開示】
【発明が解決しようとする課題】
【０００３】
上記従来技術は、昇降機の稼動データの基づいて保守点検時期の設定には有効であるが重大な事故につながったり、顧客クレームにつながる稼動データを情報として提供するもので無い為、故障は発生していないが緊急に対応しないと重大事故や顧客クレームにつながるものには、対応できなかった。
【０００４】
本発明の目的は、重大事故や顧客クレームにつながる情報を事前に配信可能とする昇降機稼動データ分析装置を提供することにある。
【課題を解決するための手段】
【０００５】
上記目的を達成する為に本発明は、昇降機の稼動状態を常時監視するとともに、定期的に実施される点検の都度に監視し、取得した稼動データを記憶する記憶装置を有する端末装置と、前記記憶装置に格納した稼動データを通信回線を介して定期的に取り込み、分析し予兆データとして少なくとも昇降機の保守点検時期を判断する情報分析部とを有するセンター装置とを備えた昇降機稼動データ分析装置において、前記情報分析部の分析結果である予兆データに重要度を付加する重要度付加手段と、この重要度付加手段で付加した重要度に応じて前記予兆データの配信先を設定する配信先設定手段とを備えたことを特徴とする昇降機稼動データ分析装置。
【０００６】
更に、本発明は前記昇降機稼動データ分析装置において、前記重要度付加手段は、事故になり得る予兆データ、長時間不稼動故障になり得るデータ、特定顧客の昇降機予兆データ、特定の昇降機の予兆データとしたことを特徴とする昇降機稼動データ分析装置。
【０００７】
更に、本発明は昇降機稼動データ分析装置において、前記配信先設定手段が設定する配信先は、該当昇降機の保全作業を担当する担当営業所とし重要度が高くなると、該当昇降機の保全作業を担当する作業者が保全作業時に持参する携帯端末装置を少なくとも加えることを特徴とする昇降機稼動データ分析装置。
【０００８】
このようにしたので、昇降機の稼動データから分析した予兆データから分析した予兆データに対し、重要度を付加し、重要度に応じて予兆データは該当昇降機の保全作業を実施する作業者の保全ツールである携帯端末装置へ配信されるので、迅速なる対応が実施できる。
【発明の効果】
【０００９】
本発明によれば、昇降機の稼動データから分析した予兆データにおける重要度の高いものを、保全作業を実施する営業所の端末や作業者の保全ツールである携帯端末装置へ配信するようにしたので、保全品質を向上させることができる。
【発明を実施するための最良の形態】
【００１０】
以下、本発明の実施形態を図面を用いて詳細に説明する。
【００１１】
図１は、本発明に係わるエレベータ稼動データ分析装置の一実施形態を示すブロック構成図である。
【００１２】
図１において、１は保守機器、２は保守機器１毎に設けられ当該保守機器１の稼動データの端末装置、２ａは情報入力部、２ｂは制御計測部、２ｃは記憶部、２ｄは通信制御部、３は監視センター、３ａは重要度付加装置、３ｂは通信制御装置、３ｃは出力部、３ｄは記憶部、３ｅは情報分析部、４は携帯端末、４ａは通信制御部、４ｂは表示部、５は各営業所、５ａは通信制御部、５ｂは表示部である。
【００１３】
そして、保守機器１はエレベータやエスカレータの機器類であって定期的にあるいは連続的に保守点検が行われているものである。
【００１４】
そして、端末装置２は上記保守機器１毎に設けられ当該号機の制御計測部によって計測した稼動データを記憶部２にて記憶し、また、通信制御部にて監視センター３へ通信回路を通して送信する。
【００１５】
そして、監視センター３は、端末装置２からの稼動データを通信制御部３ｂにて受信し情報制御部３ｅにて分析し予兆データとする。また、記憶部３ｄにて記憶されている当該現場の情報と前記情報制御部にて分析した予兆データを重要度付加装置３ａにて分析することで重要度別にランクを付け、作業指示の配信先を携帯端末４や営業所５等と決定し配信する。
【００１６】
次に、図２を用いて本発明の重要度付加手順と配信先決定手順について説明する。
【００１７】
まず、端末装置２から通信制御部３ｂが受信した稼動データを情報制御部３ｅが分析した予兆データと記憶部３ｄが記憶している当該現場の情報データを記す（ステップＳｌ）。
【００１８】
また、前記予兆・当該現場データＳｌを重要度付加装置３ａにて事故となりうる状態かを確認し（ステップＳ２）、事故となりうる状態と確認できた場合、加点Ｋｌにて重要度に点数が加算される。
【００１９】
また、ステップＳ２にて事故となりうる状態に無い場合は、ステップＳｌの予兆・当該現場データを重要度付加装置３ａにて長時間不稼動故障となりうるかを確認し（ステップＳ３）、長時間不稼動になりうると確認できた場合は、加点Ｋ２にて重要度に点数が加算される。
【００２０】
また、ステップＳ３にて長時間不稼動にはなりえないと確認された場合は、ステップＳｌの予兆・当該現場データを重要度付加装置３ａにて顧客内容を確認し、重要顧客かどうかを確認し（ステップＳ４）、重要顧客の場合は、加点Ｋ３にて重要度に点数を加算する。
【００２１】
また、ステップＳ４にて重要顧客でない場合は、ステップＳｌの予兆・当該現場データを重要度付加装置３ａにて当該現場の故障来歴を確認し（ステップＳ５）、過去に故障を発生させているかを確認する。
【００２２】
また、ステップＳ５にて過去に故障を発生させており、再発再発となってしまうと確認できた場合は、加点Ｋ４にて重要度に点数が加算される。
【００２３】
また、ステップＳ５で、過去に故障した履歴が無い場合は、加点Ｋｌ，Ｋ２，Ｋ３，Ｋ４にて加算された点数を集計し（ステップＳ６）、ステップＳ６の集計結果より配信先を決定して送信する（ステップＳ７）。
【図面の簡単な説明】
【００２４】
【図１】本発明に係わる保守機器の稼動データ分析装置の一実施形態を示すブロック構成図である。
【図２】図１の実施形態において、監視センターで実行される重要度付加手順と配信先決定手順の一例を示すフローチャートである。
【符号の説明】
【００２５】
１  保守機器
２  端末装置
２ａ  情報入力部
２ｂ  制御計測部
２ｃ  記憶部
２ｄ  通信制御部
３  監視センター
３ａ  重要度付加装置
３ｂ  通信制御部
３ｃ  出力部
３ｄ  記憶部
３ｅ  情報分析部
４  携帯端末
４ａ  通信制御部
４ｂ  表示部
５  営業所
５ａ  通信制御部
５ｂ  表示部
【図１】
2008168990.tif 000003
【図２】
2008168990.tif 000004